(57)【要約】郵便ケース・システム４１は、それぞれ独特の配達先を表示した個別の袋３０に種種の郵便物を逐次分類することを容易にする。郵便ケース４１は多数袋挿入体を使い複数の滞留所に対する袋３０を分類のために迅速に設定できるようにする。分類作業の終りに全挿入体を端一体としてケースから引き降ろし設定した配達先順序を保持するようにする。このようにして配達人が選別場所を見付け又は配達人が配達作業中に多数の順序を定めた郵便束からの選別を組合せる必要がなくなる。このようにして配達効率の著しい向上が得られる。
2004511327.tif 000002
【特許請求の範囲】
【請求項１】
１束の郵便物を１組の宛名に分類する分類方法において、
（ａ）１個の郵便物の届け先宛名を判定するステップと、
（ｂ）前記１組の宛名に関連する１列の袋の１つであるたわみ壁を持つ袋に前記１個の郵便物を入れるステップと、
（ｃ）宛名を判定できる前記束内の全部の郵便物を袋内に入れ終るまで前記ステップ（ａ）及び（ｂ）を反復するステップと、
を含む分類方法。
【請求項２】
前記１個の郵便物が、手紙、フラット又は小包である請求項１の分類方法。
【請求項３】
前記袋が、互いに並べて配置される細長いまっすぐな口を備えた請求項２の分類方法。
【請求項４】
前記袋が大体において長方形であり、１群の長方形の袋を形成するように互いに並べて配置される請求項３の分類方法。
【請求項５】
前記各袋をステップ（ａ）ないし（ｃ）においてケース内に取付け、さらに前記ケースから同時に１群の袋を取出すステップ（ｄ）を含む請求項１の分類方法。
【請求項６】
少なくとも１群の袋をその側縁部に沿って結合し、ステップ（ｄ）において結合した１群の袋を取出す請求項５の分類方法。
【請求項７】
保管装置において、
たわみ壁を持つ１連の袋であって、前記袋の口が共通の方向に面し１列を形成するように互いに並べて配置された１連の袋を備え、
これ等の袋を前記保管装置の縦方向に延びる補強細長片により互いに結合して成る、
保管装置。
【請求項８】
前記袋が或る深さと幅より大きい長さとを持つ長方形の形状を備え、郵便物を受入れるのに適当な寸法を持つようにした請求項７の保管装置。
【請求項９】
１対の補強細長片を、前記袋の口の列の各側において前記保管装置の上方すみ部に沿って配置した請求項８の保管装置。
【請求項１０】
前記各袋の口の近くの前記各袋の側縁部を、前記保管装置の幅方向において、隣接する袋の口の縁部に一体に接着した請求項８の保管装置。
【請求項１１】
各品目を各袋内に各口を経て入れる際に、前記袋の口が開いたままになるように、前記保管装置を支持フレームへ取りはずし可能に取り付けるための手段を、前記細長片に設けた請求項７の保管装置。
【請求項１２】
共通のケース内に取付けた請求項７の複数の保管装置を備えた郵便物分類ケース。
【請求項１３】
前記保管装置を、互いに間隔を置いた水平のレール上に取りはずしできるように互いに上下にして取付けた請求項１２のケース。
【請求項１４】
複数の多数であって、各袋の口が共通の方向に面し、１列を形成するように、互いに並べて配置した、たわみ壁を持つ１連の袋で、前記多数袋が構成され、これ等の袋が、装置長手方向に各装置前部すみ部に沿って延びる１対の補強細長片により互いに結合して成る複数の多数袋と、
前記袋の口が外方に面するようにして保管装置を取付ける取付け手段を持つケースであって、さらに前記袋に品目を装入する間に前記袋口を開いた状態に保持するように前記袋に張力を加え、前記袋を前記ケース内への取付け及び前記ケースからの取出しが容易になるように前記袋をゆるめる機構を持つケースと、
を包含する郵便物分類ケース。
【請求項１５】
さらに互いに間隔を置いた水平レールを備え、前記保管装置を前記互いに間隔を置いた水平レールの間の開口内に取りはずしできるように相互に上下にして取付けた請求項１４のケース。
【請求項１６】
さらに、前記張力を加える機構により前記各袋に張力を加える間に、前記補強細長片に解放できるように係合する袋鎖錠機構を備えた請求項１４のケース。
【請求項１７】
多数袋において、
前記各袋の口が共通の方向に面し１列を形成するように互いに並べて配置され、充満してなくて張られた状態に伸長したときに、前記多数袋を大体において長方形の形状にするたわみ壁を持つ１連の袋と、
前記多数の互いに対向する上方すみ部に沿って前記多数袋の縦方向に延びる１対の補強細長片と、
これ等の補強細長片が前記多数袋を結合するように、前記多数袋に前記補強細長片を取付ける取付け手段と、
を備え、
前記補強細長片及び取付け手段が、前記多数袋を、個別に分離させないで手動で操作できるように、十分な強さを持つようにして成る、
多数袋。
【請求項１８】
各袋を約１ないし２ミルの範囲の厚さを持つ高密度ポリエチレンで作った請求項１７の多数袋。
【請求項１９】
前記補強細長片に一方の縁部に沿い１連のタブ及び切欠きを設けることにより前記各補強細長片の１つのタブが各袋の口内に延びるようにした請求項１７の多数袋。
【請求項２０】
前記取付け手段が、前記タブと前記袋との間に配置した接着剤である請求項１７の多数袋。
【請求項２１】
前記取付手段が、組合う突起とみぞ穴とである請求項１７の多数袋。
【請求項２２】
前記補強細長片及び取付け手段が、個別の袋を分離させないで手動で取扱うことできるように十分な強さを備えた請求項１７の多数袋。
【請求項２３】
さらに、各袋に分類した各郵便物を含む請求項１７の多数袋。
【請求項２４】
各袋内の各郵便物が共通の配達先を持つようにした請求項２３の多数袋。
【請求項２５】
各分割壁により画定され、それぞれ郵便物を特定の宛名に分類するようにラベルを付けた複数のみぞ穴を備えた郵便物分類ケースにおいて、前記各みぞ穴の分割壁を、若干のみぞ穴の乱雑な過充てんのできるたわみ性の従順な材料で作ったことを特徴とする郵便物分類ケース。
【発明の詳細な説明】
【０００１】
【産業上の利用分野】
２０万人以上の米国ポスタル・サービス（ＵＳＰＳ）の郵便配達人は１日当たり約１億の個別家庭宛先に郵便物を送出す。郵便物は一般に大体において３種類の品目すなわち手紙と手紙郵便物より大きい扁平な郵便物すなわちフラット・メイル（ｆｌａｔ　ｍａｉｌ）と小包とから成る。郵便配達人がその送出し径路を経て歩行し又はこの径路を経て運行し始めるのに先だって、有効な配達のためにこの郵便物をすべて適当な順序にすることは配達人の責任である。
【０００２】
【従来の技術】
現在のＵＳＰＳの手順のもとでは郵便配達人は、手紙、フラット（封入したマガジン及び封入してないマガジンを含む）及び小包から成る少なくとも３つの連続した束に組合せる。配達人は又、送出し径路に沿う多くの又は全部の滞留所に送出す１個又は複数に付加的な連続した束たとえば前もって分類した郵便物を持つ。すなわち各送出し滞留所で配達人は、種種の各束から宛名を定める品目を選定しこれ等をすべて配達先の郵便箱に入れる。種種の郵便束（ｓｔａｃｋｓ　ｏｆ　ｍａｉｌ）による分類（ｓｏｒｔｉｎｇ）及びシャッフリング（ｓｈｕｆｆｌｉｎｇ）は時間がかかり効率が悪く従ってＵＳＰＳにとって費用がかかる。
【０００３】
ＵＳＰＳによる予備試験では、各滞留所の全部の郵便物が配達人の送出し作業の開始に先だって単一の包装物にまとめると、配達人の送出し時間の著しい潜在的節約のできることが分かる。しかし現行の郵便分類法と配達人に利用できる郵便物包装装置では、配達人が郵便物を個別の包装物に前もってまとめるのに必要な付加的な時間は、配達時間の潜在的節約を実質的に無効にする。
【０００４】
一層有効な方法及び装置は郵便局内で展開され作業を一層有効にし、前記したように異なる分類システム及び方法を使用することにより実質的な量の時間及び金額を節約することができる。配達人が郵便物を前もって順序を定める現用の郵便ケースは図１に郵便ケース２０として示してある。郵便ケース２０は、手紙及びフラットを一緒に受入れるように人間工学的に良好には作られてなく又有効な配達のため差出し人の郵便物の大部分又は全部の迅速なコンテナ処理を容易にするにはあまり適当ではない。
【０００５】
２つの著しい問題が認められる。既存のＵＳＰＳ郵便ケースの各滞留所間の分割体２１は比較的剛性が高く、これ等の分割体は分類中に適宜位置変えをすることができない。特定の客が或る与えられた１日に過度の量の郵便物を受けると配達人はその一部又は全部を一時的に除く。次いで配達人はケース入れ作業の終りに客の郵便物をまとめ直さなければならない。又みぞ穴が充満すると、このみぞ穴内に付加的に郵便物を入れることが次第にむずかしくなる。各みぞ穴間のたわみ性の一層高い仕切りはこれ等の欠点を除くのに役立つ。
【０００６】
これ等のみぞ穴は、フラット（ｆｌａｔ）を図１に示すように折曲げること［折曲げフラット（ｆｏｌｄｅｄ　ｆｌａｔ）２２］をしないでこれ等のフラットを受入れることが小さすぎてできない。この折曲げ作業は時間がかかり費用もかかる。若干の場合に郵便物は損傷を伴わないで折曲げることができないことがある。みぞ穴が恒久的に充満するようになる。この場合郵便物は各別に取扱わなければならなくて付加的な取扱い時間及びこれに伴う労力費を生ずることになる。一層大きいみぞ穴ではこの付加的な取扱い作業はなくなるが空間がむだになる。
【０００７】
有効な送出しのために各客に対する郵便物の全部を個別に容器に入れ又は包まなければならない。既存のケース２０によりこのようにするには、各みぞ穴からの内容物を１度に１個所の滞留所（ｓｔｏｐ）で取出して包まなければならない。既存のＵＳＰＳ構造では、滞留所ごとに各郵便物を包むのに必要な時間は配達径路に沿い得られる節約時間を越える。
【０００８】
ＵＳＰＳは、食料品保管用のフレームによりプラスチック袋の水平の束を保持する。１つの袋がパッドを引裂きこのパッドをフレーム上で開いて伸長させることにより充てんできる状態になるが、残りの袋はパッド上で閉じた又は完全に押しつぶれた（扁平な）状態になっている。ケースのみぞ穴から郵便物を引き降ろす際に郵便配達人は１つのみぞ穴から郵便物を取出しこれを袋に入れこの袋をフレームから取出しこれを扁平なタブ又は手紙トレー内に一般に配達順序に入れる。このようにして送出し宛名に対応する次のケースみぞ穴内の郵便物に対する次の袋にフレーム上で差出す。この処理では単一の届け先への郵便物をまとめて保持するのに袋を使用するが、複数のステップを必要とし従って労力がきびしくなる。引降ろし処理は１度に１つの宛て先に実施する。
【０００９】
新規に作った郵便ケースがこのようにして得られる。種種の形式の郵便物を、それぞれ独自の配達先を示した個別の袋にまとめて順序分類する（ｓｅｑｕｅｎｃｅ−ｓｏｒｔ）ことが容易になる。郵便ケースは多数の挿入袋を使い複数の滞留所に対する袋を分類のために迅速に提示できる。分類作業の終りに、全挿入物又はその一部を設定した配達先順序を保持するのに単一の単位としてケースから引降ろせばよい。この場合配達人は、引続く配達作業中に各別の場所を見付け又は多数の逐次の郵便物束からの選定物を組合せる必要がなくなる。このようにして送出し効率が著しく向上する。たわみ性の袋壁により、標準体積の郵便物より大きい郵便物を受入れる郵便物みぞ穴に郵便物を乱雑に過剰に満たすことができる。過剰に充てんできることによりみぞ穴密度を保持しながら効率を高める。
【００１０】
本発明は又、１束の郵便物（ｂａｔｃｈ　ｏｆ　ｍａｉｌ）を１組の宛名に分類する一層有効な分類方法を提供する。このような分類方法は、（ａ）たとえば人の再検又は機械による走査により１個の郵便物（ｍａｉｌ　ｐｉｅｃｅ）の届け先宛名（ｄｅｓｔｉｎａｔｉｏｎ　ａｄｄｒｅｓｓ）を判定するステップと、（ｂ）前記１組の宛名に関連する１列の袋の１つであるたわみ壁の袋内に前記１個の郵便物を入れるステップと、（ｃ）宛名を判定できる前記束内の全部の又は実質的に全部の郵便物を入れ終るまで前記ステップ（ａ）及び（ｂ）を反復するステップとを含む。好適な実施例では、郵便物は手紙、フラット（ｆｌａｔ）又は小包であり、従って袋は、長方形の袋群又は多数の袋（ｍｕｌｔｉ−ｂａｇ）を形成するように細長いまっすぐな口を並べて配置した長方形薄肉のなるべくはプラスチック材からなる袋として形成する。ステップ（ａ）ないし（ｃ）に次いで本発明はさらに（ｄ）郵便箱（ｐｏｓｔａｌ　ｔｕｂ）又は送出しかばん（ｄｅｌｉｖｅｒｙ　ｓａｔｃｈｅｌ）のような運搬容器内に入れるように棚から袋群を同時に取出し次いで迅速有効に送出すように各袋の連結をはずす。このようにして本発明は扁平な郵便物の封入分類を同時に行い適宜にはさらに１群の袋を、ＵＳポスタル・サービスにより現在行われているように１度に１つの宛名を引降ろす代りに１群の袋を分類ケースから逐次に引きおろすことができる。
【００１１】
このような方法に使う保管装置は、各袋の口が共通の方向に面し列を形成するように１群のたわみ性の薄肉の壁の袋を互いに並べて配置してある。各袋の口の側縁部は、各隣接袋間への郵便物の不時の入込みを防ぐように装置幅方向において各隣接袋の口の縁部に一体に接合される（たとえば融着または接着剤により）。しかし袋緊張機構を設けたケースを使うときは、袋に加わる張力がこの問題を防ぐのに十分であることが多く袋の口を接合する必要がない。各袋は又装置長手方向に延びる少なくとも１条なるべくは２条の補強細長片により結合するのがよい。各細長片は、多数袋の一部として一体に形成し又は１群の袋を取付ける適当な手段を設けてもよい。１対の補強細長片を装置の上方すみ部に沿い袋の口の列の各側に配置するのがよい。これ等の細長片は袋を細長片に取付ける手段と組合って十分な強度を持ち、多重の袋を個別の袋は互いに分離させないで手で取扱うことができしかも後述のように個別の袋を適当なときに分離できるようにする。各細長片は又貯蔵装置を支持フレームに取りはずしできるように固着して各品目を各袋内に口を経て入れる際に袋の口が開いたままになるようにする。細長片はケース内への袋の装入が容易になるようにする。
【００１２】
本発明の保管装置は、各袋の口の近くに適宜に穴を形成し袋を引裂くことができるようにする。このような場合に郵便配達人は、ばらの又はゴムバンドで束ねた郵便物の束を入れる伝統的な郵便カバンの代りに保管装置を配達装置として直接使うことができる。郵便物を配達するように配達人は、この目的で設けた取っ手又は帯状片を必要に応じ使って保管装置を運ぶ。郵便物を送出すのに配達人はその径路を歩き又は車を運転し送付宛名ごとに１つの袋を引離し、配達処理の速度を著しく高める。
【００１３】
本発明の好適な例によれば多数袋は、各袋の口が共通の方向に面し１つの列を形成するように互いに並べて配置した１群の、たわみ性壁を持つ袋を備え、充満してなくて緊張した状態に伸長したときにこの多数袋を大体において長方形の形状にする。各袋の口に近い袋側縁部は隣接する袋の側縁部に一体に接合する。多数袋の互いに対向する上部すみ部に沿いこの多数袋の長手方向に１対の補強細長片が延びる。各細長片を多数袋に取付ける適当な手段を設けこれ等の細長片が多数袋を結合するようにする。各細長片及び取付手段は、とくにたとえば約２０　ｌｂまでの郵便物又はその他の品目を装入したときに多数袋を互いに離れないで取扱うことができるように十分な強度を持つ。取付け手段は後述のように、適用接着剤、両面又は片面の接着テープ、溶着袋面の機械的接合及びファスナを含む種種の種類のものがある。
【００１４】
このような多数袋保管装置に使うのに適当な本発明の好適な保管ケースは、袋口が外方に面するように保管装置を取付ける適当な手段と、各袋口を品目の装入中に開いた状態に保持するように袋を緊張させケースに対する取付け取りはずしを容易にするように袋を弛緩させる手段と、袋を装入中に緊張した状態に鎖錠する手段とを持つ。この実施例による鎖錠機構は、袋を互いに対向する側から緊張する状態に引張るように固定棚に対し動く可動棚と、各袋の互いに対向する側部を装入中に定位置に鎖錠するようにこれ等の対向側部を解放できるように締付ける機構とを備え、各袋が郵便物分類中にケースから離れて作用することがないようにする。
【００１５】
前記したように郵便分類ケースは、分割壁により仕切られた複数のみぞ穴を備える。各みぞ穴は郵便物を特定の宛名に分類するラベルを張ってある。分類ケースの特定の構造に関係なく、本発明の主要な原理は、同じ全みぞ穴密集度を保持しながら若干のみぞ穴の乱雑な過充満のできるたわみ性の又は従順な材料から作ったみぞ穴分割壁の使用にある。このことは、多数袋構造によらないでたとえばたわみ性郵便袋又は屈曲できる分割材を使って可能になる。本発明のこれ等の又その他の態様を以下に詳細に述べる。
【００１６】
【実施例】
本発明の１実施例は、配達人が各郵便受取人に配達する個別の袋に郵便物を直接納めるようにした多数袋郵便物ケース挿入体（ｍｕｌｔｉ−ｂａｇ　ｍａｉｌ−ｃａｓｅ　ｉｎｓｅｒｔ）を協働させる。多数袋郵便ケース挿入体は、郵便物分類の準備の迅速な郵便物ケース構成と、ケース入れ作業の完了後分類ケース又は棚からの迅速な引きおろしと、或る与えられた１日における個別の郵便受取人に対する種種の体積の郵便物を受入れる柔軟性のみぞ穴と、有効な配達のための順序の適宜な保持との複数の利点を持つ。
【００１７】
本発明による実施例の多数の袋保管装置３０は図２に示すように開いた袋側部又は口３１を経て折曲げないで受入れるフラット（少なくとも８．５×１１又は雑誌サイズ）を受入れるように寸法を定めた１連の薄肉の高密度ポリエチレン（ＨＤＰＥ）製袋を備える。リサイクルの見地から、多数袋３０はその目的から厚さをできるだけ薄くたとえば１ミル又は２ミルとくに１ないし２ミルにするのがよい。各袋はそれぞれ、隣接する各袋に端縁３２に沿い各袋の口の近くで幅方向に一体に接合する（融着し又は接着剤で接着する）。本発明では多数袋の幅方向は各袋口の一端部から他端部まで横方向に延びるが、長手方向はこの横方向に対し直交して走り一般に多数袋の最も長い寸法を持つ。この多数袋は通常長方形である（幾何学的形状が引張って伸張させたときに長方形の角柱の形状である）。
【００１８】
袋の口に隣接して固着すると、互いに組合った状態を保持するように役立ち又伝統的な郵便ケース内のみぞ穴を形成する袋口３１間にすきまが開かないようにし、又細長片を取除いても順序を保持するのに役立つ。多重体内の２個の袋の間に郵便物の入込むことは承認できない。従って各袋の隣接する端縁３２は、各袋口３１の周辺の全部又は実質的に全部に沿い連続的に又は間隔を隔てて互いに接合するのがよい。各補強細長片３３はそれぞれ、多数袋に貫通して細長片３３を固着する１連のピン３４を持つ。しかし各細長片３３を固着する方式は絶対的なものではなく、生産を容易にする方法たとえば接着剤又は薬品又は融着法を使えばよい。
【００１９】
図２及び３に示すように各細長片３３の丸みを付けた前縁は、本発明による郵便ケース４１内に取付けた１対の水平レール４０の背部のみぞ内に挿入する。このように取付けると、袋口３１は開いた状態に保持され、各袋の壁は図示のように実質的に緊張した状態に保持され郵便物をできるだけ容易に各袋内に入れることができる。各袋の壁は柔軟で１つの袋により現用の一定幅のケースみぞ穴よりはるかに多量の郵便物を、郵便従業員が一層大きい余地を生ずるように仕切を除き又は置き換えることを必要としないで受入れることができる。第２の多数袋装置３０を図示のスペース４２内に第１の装置に並べて位置させてもよい。この付加する装置３０は又ケース４１内で上側及び下側に位置させることができる。
【００２０】
袋口３１はそれぞれ所定の届け先に対応する。すなわち多数袋３０は、各開口３１がケースの宛名に対する正確な位置になるように位置させることが大切である。このために各レール４１の一方に沿い印又は目盛４６を設け各袋口３１のその対応部に対する目視による整合が保持させるようにする。分類操作を手動で行う場合には届け先宛名の標識たとえばラベルを各印４６の間の空間に設けることができる。しかし郵便物の分類に人手によらないで自動システムを使う場合にはラベルを除き又はバーコードのような機械走査できるラベルを使う。
【００２１】
個別の袋に分類し終ると全装置をケースから接続をはずし１単位として取出す。この装置は次いで図４に示すように扁平部タブ又は手紙トレー５０又はその他の容器に保管する。このために装置３０はＵＳＰＳに使用される既存の手紙トレー５０内に密接にはまる寸法を持つのがよい。
【００２２】
図５ないし８は、各袋６３の口６２が側方でなく上方に向くように多数袋６０を設けたフレームを利用する別の実施例による多数袋６０を示す。このフレームは、台６４と多数袋６０が細長片６７によりつり下がる対の逆Ｕ字型レール６６とを備える。各袋は必要に応じミシン目６９に沿い引裂くことができる。
【００２３】
図９ないし１３は本発明による郵便分類ケース７０の１例を示す。この例では複数の多数袋装置７１は、一方の側が開き水平レール７３を設けたキャビネットを構成するケース・フレーム７２内に上下に配置してある。図１１ないし１２に示すように多数袋７１は、リベットのような１連のファスナ７７により成形プラスチック製側部細長片７６に固着してある。細長片７６は、各レール７３の対応するみぞ孔７９に締付けたＵ字型フランジ７８を持ち、各多数袋装置７１の一層容易な取付け取りはずしができる。
【００２４】
図１４は、作業者８１が図示のようにケース８２により３方の側部を囲んだ本発明の分類場所を示す。各ケースは、分類のために適宜の角度を挟んでくぼみ８５内に位置させた４列の扁平部タブ８４を備える。本発明による多数袋は各タブに入れる。次いでタブ及び多数袋は共に分類が終ると取出す。このようにして、多数袋を引出しこの多数袋を配達トラック又は類似物に運び去るのに先だってタブ内に入れる。
【００２５】
図１５及び１６は本発明分類装置の１変型例を示す。この例では長方形のフレーム９０は扁平部タブのような標準寸法容器９１内にはまる寸法にしてある。フレーム９０は、脚８９と１対の側部レール９２と各レール９２を互いに対向する端部で連結する横棒９３とを持つ。各袋９４を充満するように、１対の分割材９５がつり手９６によりレール９２からつり下げてある（１対の分割材だけしか示していないが、実際上全部の対の分割材９５を使う）。各分割材９５は、郵便物の挿入が容易になるように内方又は下方に相互に向かい傾斜させるのがよい。使用に先だって袋９４は各対の分割材９５に取付け、袋頂部は図示のようにくず入れ内の裏当て袋のように図示のように折返す。この組合せは次いでタブ９１内に入れ、郵便物は多数袋の各実施例について前記したのと同じようにして各袋９４に分類する。分類を終えると、フレーム９０を袋９４から持上げ各袋９４をタブ９１内に正しい順序に残す。このシステムは、特殊に作った多数袋を必要としない利点を持つが、多数袋の利点には欠けている。
【００２６】
いずれの実施例でも使用袋はその使用に伴う費用を相殺するように広告を印刷してもよい。しかし若干の例では郵便物を袋で受取人に配達するのが好ましくない場合には再使用できる多数袋を使う。この場合郵便配達人は配達時に郵便物を袋から取出す。
【００２７】
郵便サービスへの本発明の使用は次の通りである。毎日配達人はその径路上の種種の郵便物を図１４に示すように郵便ケースに分類する。組合せた郵便ケースは４個の棚に配置したそれぞれ２１６個のみぞ穴を持つ３つの面を備える。各棚は、それぞれ１８個の袋を持つ３個の挿入体を保持する。これ等の特定の個数は単に例示しただけである。すなわち郵便物は６４８の届け先に分類できる。１日の初めに配達人すなわち郵便従業員は、特定の使用取付けシステムに従って多数袋郵便ケース挿入体を各郵便ケース内の恒久的フレーム上に広げ、これをその場に留める。このようにして配達人は、配達作業の準備で分類作業を終えたときにケースから１度に複数の個別に包装したストップを一度に引出すことができる。多数袋郵便ケース挿入体の個別の袋は、これ等の袋を１度に１つずつ容易に引離し配達径路に沿って逐次に送出せるようにミシン目を設けてある。各郵便物滞溜所に対し全部の品目を前もって単一の袋に分類することにより、配達人は配達径路に沿う各メール・ストップを迅速有効に処理することができる。このようにして配達誤りが少なくなり集配人は与えられた時限内に径路ごとに一層多くの集積所の処理ができる。
【００２８】
図１７ないし２１には本発明の別の実施例を示してある。この実施例の多数袋１００は１連の薄いＨＯＰＥ袋１０１を含む。プラスチック（ポリスチレン）製細長片１０３は、各細長片１０３の幅方向を貫いて分け入る互いに間隔を置いた切欠き１０６により互いに隔離した１連のタブ１０４を持つ。各タブ１０４は各袋口１０２にはまるようにようにした寸法を持ち、又各袋１０１の外端縁１０１は、接着剤又は溶着のような適当な手段により細長片１０３に固着してある。各袋１０１はミシン目を付けてなくて、代りに細長片１０３の外縁部から各切欠き１０６の内端部に走る線１０８に沿い必要に応じ１つずつ容易に引離すことができる。この実施例では線１０８は、引裂き方向における細長片１０３の応力生起部又は最も弱い部分を表わし、きずを付け又はその他の方法で弱くする必要がない。各細長片１０３は、各袋を集配人が故意に分離するまでこれ等の袋をそのままの状態に保持するのに十分な厚さ及び幅を持たなければならない。
【００２９】
各袋口１０２は前記したように相互に接着してあるが、後述のようにケース内で引張り装置を使用すると、互いに隣接する袋の接着を全く行わないか又は単一の中心取付点への接着を減らすことができる。このために互いに隣接する２つの袋面の一方にこの面を他方の面に接着する材料として使うことのできる１連の隆起部を形成することができる。１つの袋を次の袋に直接接着するのがよいが、本発明では他の取付け方式を使ってもよい。互いに隣接する両袋面に互いに押付けると相互に組合う１連の隆起部及び対応するくぼみを形成できる場合に、互いに隣接する袋口を固着する接着剤を使い、又は機械的締付けシステムを使うことができる。
【００３０】
図２１及び２２に示した別の実施例では、タブ１０４に当てがった両面接着テープ１１１の細長片により細長片１０３を袋１０１に固着する。細長片１０３に向き合うテープ１１１の接着剤側は側方に向いた袋１０１より強い接着性を持ち袋１０１を集配時に細長片１０３から離しテープ１１１を付けた細長片１０３をリサイクルのために戻すことができる。テープ１１１のこの一方の側は細長片１０３に恒久的に接合したままになる第１の接着剤を塗布するが、他方の側は軽い粘性（再はり付けできるポスト・イット（Ｐｏｓｔ−Ｉｔ）オフィス・ノートに比べて）軽い粘性を持つ第２の接着剤を塗布してプラスチック製袋を損傷しないではがすことができるようにする。
【００３１】
この実施例ではテープ１１１の代りに、なるべくは細長片１０３に接着し袋１０１を作るポリエチレンのようなプラスチック材に対し軽い粘着性を持つ塗布接着剤の単一層を使うことができる。この実施例はテープ部分をなくし従って多数袋の費用を減らすと共にリサイクル時の影響を減らす。テープ又は接着剤層１１１と同じ場所で各袋１０１に対し各タブ１０４をスポット融着し又は加熱接着するようにファスナを使わない他の普通の取付け手段も又本発明の範囲内である。
【００３２】
配達処理中に郵便配達人は郵便ストップに到達すると個別の袋１０１を引離しこの袋を配達先の郵便箱等に入れる。多数袋１０１がどのような形状を持つかに従って、この場合細長片１０３を線１０８に沿って引離し各袋の一部として細長片１０３の２つの引離し片を生ずる。この実施例では配達人は各袋１０１の側部を細長片１０３からひきはがし細長片１０３を配達の終りにリサイクル又は再使用のために戻す。
【００３３】
多数袋３０、６０、１００の寸法は、小さな製品又はその他の品目と共に郵便物を含む分類物品に対応する。後者の場合には袋口は緊張した状態で長方形が好適で典型的には長さ１１．５インチ×幅１．１インチなるべくは長さ１１ないし１２インチ×幅１ないし２インチの範囲がよい。袋の深さは問題ではなくて若干の長さも認められる最も長い郵便物を含むものに十分なだけ深くなければならない。このようにして少なくとも１２インチなるべくは１３インチないし１６インチの深さが適当である。
【００３４】
本発明の態様及び利点は、（１）取りはずしできる多数袋郵便ケース挿入体と、（２）有効な配達のために搬送体郵便物を結合する廃棄できる又はリサイクルできる袋を備えた郵便ケースと、（３）全節約時間が挿入体費用を相殺する以上になるように据付け、引出し及び配達の時間を最適にするようにしたリサイクルできる又は廃棄できるプラスチック製多数袋郵便ケース挿入体とを含む。この多数袋挿入体は弾力性を持ち１つ又は複数の配達先に対する余分の郵便物を分類の終了に先だってこの配達先に対する保管郵便物をわきに寄せなくてもひんぱんに受入れることができるようにする。
【００３５】
本発明はさらに、既存のケースに人間工学的に勝った郵便順次分類ケースを提供する。本発明によれば、大きなみぞ穴、みぞ穴の弾力性、柔軟な表面の使用、鋭い縁部をなくすこと、人間工学的に承認できる到達距離、充満みぞ穴による中間の引出し作業の減少、又分類作業の終りの多重みぞ穴の容易な同時引出しによって分類時間の向上が容易になる。多数袋挿入体は有効な郵便物分類のために袋を開いたままに保持するようにフレームに対し緊密に伸長させ、又挿入体はケース・フレームに容易迅速に取付けケーシング全生産性を高める。この挿入体は、引出し時間を最少にし全ケーシング生産性を高めるように単一の単位として取出すことができる。
【００３６】
本発明はさらに、配達効率を容易にするように順序を保ち全配達能力を高める多数袋郵便ケース挿入体を提供する。個別の袋は、これ等の袋を配達径路に沿う配達のために容易に個別に引離すことができるようにミシン目を付ける。印刷できる袋の使用によりＵＳＰＳによって、袋費用を相殺する収入が得られ又は広告収入を増大することができる。
【００３７】
図２３ないし２７に示した実施例による多数袋３００は複数のプラスチック製袋３０２を備える。各袋３０２は、取りはずしの便宜上相互に別個にするのがよく２対の相互結合するおすめすのプラスチック細長片３０４、３０６により互いに対向する頂側部に沿い互いに接合する。各細長片３０４、３０６は厚さが約０．０２０インチないし０．０４０インチで、通常ミルク・カートン又はミルクびんの製造に使われる高密度ポリエチレンのような比較的剛性の高い高密度プラスチック材から形成するのがよい。各細長片３０４、３０６の厚さは、各細長片を作るのに使う材料の引張力、引張りひずみ及び弾性のような性質による。従って各細長片は種種の厚さのものが考えられる。一般に細長片システムは、多数袋を１単位として取扱うことができるように十分に強く後述のように細長片を容易に引張れるようにしなければならない。
【００３８】
各めす形細長片３０６は、広さが約１インチでこの細長片の長手に沿い互いに一様な間隔を置いた対に配置した複数個のみぞ穴３０８を備える。各みぞ穴３０８は、めす形細長片３０６を横切りこれ等の各細長片の幅の大部分にわたり横方向に延び任意普通の方法でたとえば普通の孔あけ具で形成する。図示のようにおす形細長片３０４は、幅が１．５インチの程度にわずかに比較的広く一方の細長片縁部に沿い互いに並べて配置した１列の丸み付きタブ３１０を一方の側に沿って形成してある。タブ３１０は切欠き３１２により互いに隔離され、又各タブ３１０は袋３０２の開口に袋材料が切欠き３１２内に延びる端部ではまるように形成してある。各タブ３１０には、みぞ穴３０８の長さにほぼ等しい長さを持つ、中央に位置する１対の翼部３１４を設けてある。みぞ穴３０８の場合と同様に各翼部３１４は、各タブ３１０の場所で細長片３０４から互いに対向する１対のＣ字形区分３１６を打抜くことにより容易に形成できる。各Ｃ字形区分３１６は対向するＣ字形区分からめす形細長片３０６の各みぞ穴３０８間と同じ距離だけ間隔を隔てる。各対の翼部３１４は、タブ３１０の中央に位置しめす形細長片３０６の対応する対のみぞ穴３０８に挿入され衝合するように形成してある。
【００３９】
図２３ないし２４に明らかなように多数袋３００は、複数の袋３０２を２つのおす形細長片３０４に取付けることによって組合せる。タブ３１０は各袋３０２の開口３２０の各端部３２２に挿入して各袋を互いに並んだ関係に配置する。多数袋３００の組立てを終えるには、各袋３０２の端部の外側に、各袋３０２を取付けたおす形細長片３０４に平行に１対のめす形細長片３０６を位置させる。各翼部３１４は、細長片３０４から外方に折曲げ、袋３０２の材料により囲んだままにしてみぞ穴３０８を貫いて押込む。各翼部３１４をみぞ穴３０８内に挿入した後各翼部３１４を解放し、細長片３０４を形成したプラスチック材料の固有弾力性により翼部３１４をめす形細長片３０６に向かい付勢し袋３０２をおす形及びめす形の細長片３０４、３０６の間に捕捉する。とくにこの処理中に袋３０２は突き刺したり引裂いたりしない。袋３０２を作るプラスチック材の柔軟性及び可塑性により各翼部３１４を覆う袋部分をみぞ穴３０８内に翼部を挿入し、次いで解放する際に翼部３１４に合致させ追従させる。組付け終ると、多数袋３００は、ケース内に装入のために展開する。
【００４０】
多数袋３００に装入した後、充満した多数袋は、郵便局で又は郵便配達人がその径路を行く際に普通の又その他の要因に従って解体する。多数袋３００の解体は、各細長片３０４、３０６の１対の端部をつかみこれ等の端部を互いに異なる方向に引張ることにより行う。この場合各翼部３１４をみぞ穴３０８を経て引戻し多数袋を開く。多数袋３００により得られる別の利点は、解体時に細長片だけが残ることである。小片、コネクタ、ステープル又はその他のファスナは生じない。細長片３０４、３０６は、再使用し又はリサイクルを行い配達先に配布されない。
【００４１】
図２８ないし３１は、多数袋３００の配列に使う本発明による改良されたケース３５０を示す。ケース３５０は一方の開いた側部と大体において長方形の固定フレーム３５２と可動なフレーム３５４とを持つハウジング３５１を備える。ケース３５０内に伸長させた多数袋３００は後述のように前方に向きわずかに上方に傾いた上下方向の１連の袋開口３５６を備える。固定フレーム３５２は、フレーム３５２の互いに対向する側壁３６０にわたる互いに一様な間隔を置いた１連の水平棚３５８を備える。可動フレーム３５４は同様に、下方位置（図示のような）にあるときに各棚３５８に乗り各棚後部すみ部でヒンジ３６６により各側壁３６０に枢動運動するように連結した１連の可動棚３６４を備える。各棚３６４は、各棚３６４の前部の近くに位置するヒンジ３７４によりこの棚のいずれかの端部の保持体３７３の三角形アーム３７２の下端部にそれぞれ連結した１対の上向きの側部フランジ３７０を持つ。１連の連結棒３７５も又後述のように隣接ヒンジ３７４に枢動できるように取付けてある。
【００４２】
各アーム３７２は、隣接側壁３６０に実質的に平行でこの側壁３６０に対して可動な大体において三角形の扁平な鋼板から成る。図示のように各アーム３７２は、側壁３６０に取付けたボルト３６３が貫通するみぞ穴３６２を形成してある。鎖錠ワッシャ（図示してない）は各ボルト３６３の端部に固着してある。みぞ穴３６２及びボルト３６３は互いに協働して、固定フレーム３５２に対して限定した上下方向距離にわたりアーム３７２を案内する。実質的な水平板３６８は各対のアーム３７２の頂部に渡り、各保持体３７３が全体として図３０に示すような逆Ｕ字形の形状を持つ。各棚３６４は、その前縁部に沿い内方に曲げたＬ字形フランジ３９０を持つ。フランジ３９０は、形状が細長片３０４の場合と同様であるが薄板金のような比較的剛性の材料から作った１連の外方に向いたタブ及び切欠きを形成してある。横方向補強ビーム４１２は各棚３６４の下側に沿って延び可動フレーム３５４の一部を形成する。
【００４３】
固定フレーム３５２は、各棚３６４の長手に沿い各側壁３６０間に延びる横方向ビーム４００を備える。各ビーム４００は上面に取付けた１個又は複数個の上方に延びるピン４０２を持つ。各ピン４０２は、可動棚３６４の底壁４１０の複数個の対応穴４０６に整合する。自由に位置する扁平板３９８は棚３６４及びフランジ３９０間に棚３６４の長手に沿って挿入され、板３９８の最前縁部４０４はピン４０２に近接して支える。ピン４０２は可動フレーム３５４の下降運動時に板３９８に衝合する。固定ビーム４００から垂下する、切欠き及びリブ付きの第２のＬ字形フランジ３９６は、ビーム４００の下方で袋開口３５６内に内方に延び固定フレーム３５２の一部を形成する。板３６８の前縁部４０８はビーム４００及びフランジ３９６の間に配置され板３６８がフレーム３５４の下降運動時にフランジ３９６に向かって動くようにする。
【００４４】
ケース３５０は次のように作用する。可動棚が図３１に示した位置の上方に位置する第１の位置にあるときは、各フランジ３９０、３９６間の距離は多数袋３００の幅よりわずかに小さい。下部棚３６４ａはばね付勢した止め３８０により支えてある。止め３８０は可動フレーム３５４を上部位置に向かい付勢する。多数袋３００は次いでケース３５０内に手で挿入し図示のように反対側部に沿いフランジ３９０、３９６に取付ける。ケース３５０に装入し終ると、作業者は次いで、コード３７８の取っ手３８４又は類似具に引張り作用を加えることにより分類する位置に袋３００を鎖錠する。
【００４５】
コード３７８は、最下部のヒンジ３７４に接続した１連のレバー３８６、３８８に接続してある。コード３７８を引くと、レバー３８８によりヒンジ３７４従って下部棚３６４ａに引降ろし作用を加え保持体３７３を含む全棚アセンブリを下方に動かす。１連のリング３７５は逐次の各棚３６４のヒンジ３７４をなるべくは両端部で相互に接続し、全部の棚３６４が直列に動きヒンジ３６６で下方に枢動するようにする。このようにしてフランジ３９０を板３９８に向かい下方に動かし同時に板３６８を切欠き付きフランジ３９６に向かい下方に動かすことにより各多数袋３００の上下の端部を図示のように締付ける。各袋３００の上縁部の細長片３０４、３０６はこのようにして板３６８及びタブ付きフランジ３９６間に捕捉する。これと同時にビーム４１２は、ピン４０２により保持された板３９８に向かい下方に動かして下降させ各細長片３０４、３０６を多数袋３００の下縁部でフランジ３９６及び板３９８の間に捕捉する。可動棚上側の固定棚３６４の下降運動により又各多数袋３００を装入郵便に適当な教示された状態に伸長させる。板３６８はとくに多数袋３００の上端部に対する鎖錠機構として作用する。板３９８は棒４０２と組合って同様に、協働多数袋３００の下端部を締付けて鎖錠する。コード３７８は、ケーシング作動が終るまで固着する（たとえば結わえる）。次いでコード３７８は解放して、可動棚単位を自由にし郵便物の充満した多数袋３００をフランジから係合を離しさらに処理するために引降ろす。
【００４６】
以上本発明の好適な実施例を例示したが本発明が図示の構造に限定するものではないのはもちろんである。たとえばケースのピンに保持した多数袋の各すみ部の輪、ポスト又は類似物のようにケースの袋に張力を加えるのにその他の手段を使うことができる。
【図面の簡単な説明】
【図１】
ＵＳＰＳで使われている従来の分類スの斜視図である。
【図２】
本発明による多数袋保管装置の斜視図である。
【図３】
棚に取付けた図２の多数袋保管装置の斜視図である。
【図４】
郵便タブに挿入した図２の多数袋保管装置の斜視図である。
【図５】
フレームに取付けた本発明の１変型の多数袋装置の上面図である。
【図６】
図５の装置及びフレームの側面図である。
【図７】
図５の装置及びクレームの端面図である。
【図８】
図５の上方左すみ部の拡大平面図である。
【図９】
本発明の第１の郵便物分類ケースの正面図である。
【図１０】
図９の破線で囲んだ部分の拡大正面図である。
【図１１】
図９に示した多数袋装置の平面図である。
【図１２】
図１１の装置の側面図である。
【図１３】
図９のケースに接続した２つの多数袋を一部を断面にして示す部分側面図である。
【図１４】
本発明による、３辺を持つ郵便物分類場所の線図的正面図である。
【図１５】
本発明の１変型の袋分類装置を分解して示す斜視図である。
【図１６】
図１５の装置を組立てた状態で示す斜視図である。
【図１７】
本発明による多数袋の別の実施例の側面図である。
【図１８】
図１７の多数袋の上面図である。
【図１９】
図１７の多数袋を拡大して示す部分側面図である。
【図２０】
図１９の多数袋の部分側面図ある。
【図２１】
本発明の１変型による結合システムを示す図２０と同様な部分側面図である。
【図２２】
図２１の多数袋の一部を示す拡大側面図である。
【図２３】
本発明多数袋の別の実施例の斜視図である。
【図２４】
図２３の２４−２４に沿う断面図である。
【図２５】
図２３の実施例のめす形細長片の側面図である。
【図２６】
図２３の実施例のおす形細長片の側面図である。
【図２７】
図２５及び２６の細長片を組合せて示す側面図である。
【図２８】
図２３なし２７の多数袋に使うケースの変型を一部を切欠いて示す斜視図である。
【図２９】
図２８のケースを一部を切欠いて示す側面図である。
【図３０】
図２８に示した袋の上端部に対する鎖錠装置の拡大斜視図である。
【図３１】
図２８に示した可動棚及び固定棚を一部を切欠いて示す側面図である。
【符号の説明】
３０　　　試料多数袋保管装置（多数袋）
３１　　　袋口
３３　　　補強細長片
４１　　　郵便物ケース
【国際公開パンフレット】
2004511327.tif 000003
2004511327.tif 000004
2004511327.tif 000005
2004511327.tif 000006
2004511327.tif 000007
2004511327.tif 000008
2004511327.tif 000009
2004511327.tif 000010
2004511327.tif 000011
2004511327.tif 000012
2004511327.tif 000013
2004511327.tif 000014
2004511327.tif 000015
2004511327.tif 000016
2004511327.tif 000017
2004511327.tif 000018
2004511327.tif 000019
2004511327.tif 000020
2004511327.tif 000021
2004511327.tif 000022
2004511327.tif 000023
2004511327.tif 000024
2004511327.tif 000025
2004511327.tif 000026
2004511327.tif 000027
2004511327.tif 000028
2004511327.tif 000029
2004511327.tif 000030
2004511327.tif 000031
2004511327.tif 000032
2004511327.tif 000033
2004511327.tif 000034
2004511327.tif 000035
2004511327.tif 000036
2004511327.tif 000037
2004511327.tif 000038
2004511327.tif 000039
【国際公開パンフレット（コレクトバージョン）】
2004511327.tif 000040
【国際調査報告】
2004511327.tif 000041